(57)【要約】      （修正有）【課題】りん棒で鳴らした際の音の響きに優れた尊厳のあるおりんを提供する。【解決手段】りん部１１と当該りん部を支持する支持台１２とを備え、りん部に第１の支持部材１４の上端を連結し、支持台に第２の支持部材１３の下端を連結し、第１の支持部材の下端側を第２の支持部材に対して上下スライド自在に支持してあり、第１の支持部材側に第１マグネット１５を取り付け、且つ第２の支持部材側に第１マグネットとの対向面が同極になるように第２マグネット１６を取り付けることでりん部が磁力の反発力により浮上していることを特徴とする。【選択図】図１
0003153631.tif 000002
【実用新案登録請求の範囲】
【請求項１】
りん部と当該りん部を支持する支持台とを備え、
りん部に第１の支持部材の上端を連結し、支持台に第２の支持部材の下端を連結し、
第１の支持部材の下端側を第２の支持部材に対して上下スライド自在に支持してあり、
第１の支持部材側に第１マグネットを取り付け、且つ第２の支持部材側に第１マグネットとの対向面が同極になるように第２マグネットを取り付けることでりん部が磁力の反発力により浮上していることを特徴とするおりん。
【請求項２】
第１の支持部材の下端部が第２の支持部材から抜け出すのを防止する抜け止め部を第１の支持部材の下端側あるいは第２の支持部材の上端側に設けてあることを特徴とする請求項１記載のおりん。
【請求項３】
支持台はりん棒の載置部を有していることを特徴とする請求項１又は２記載のおりん。
【考案の詳細な説明】
【技術分野】
【０００１】
本考案は葬祭用具の１つであって、仏壇の前や荘厳中の壇上に置かれ、仏壇の御参りや供養の際にりん棒で鳴らすおりん（仏りん）に関する。
【背景技術】
【０００２】
従来のおりんは、りん布団の上に椀形のりんを載置するものであったが、その後実用新案登録第３０５４６０７号に開示する、りん台に器状の金属製のりん部を一体に連結したものや、特開２００６−１３０３０５号に開示するようにりん部をりん台に設けた棒状支持部で支持するものが提案されている。
本考案は、りん部を連結せず、支持台も使わずにりん部を浮揚させることで、おりんそのもの自体の音、響きを１００％引き出すように改善したものである。
【先行技術文献】
【特許文献】
【０００３】
【特許文献１】実用新案登録第３０５４６０７号公報
【特許文献２】特開２００６−１３０３０５号公報
【考案の開示】
【考案が解決しようとする課題】
【０００４】
本考案は、りん棒で鳴らした際の音の響きに優れた尊厳のある新規おりんの提供を目的とする。
【課題を解決するための手段】
【０００５】
本考案に係るおりんは、りん部と当該りん部を支持する支持台とを備え、りん部に第１の支持部材の上端を連結し、支持台に第２の支持部材の下端を連結し、第１の支持部材の下端側を第２の支持部材に対して上下スライド自在に支持してあり、第１の支持部材側に第１マグネットを取り付け、且つ第２の支持部材側に第１マグネットとの対向面が同極になるように第２マグネットを取り付けることでりん部が磁力の反発力により浮上していることを特徴とする。
【０００６】
本考案に係るおりんは、りん部を磁力の反発力にて浮上させながら支持台に支持させた点に特徴があり、その浮上支持方法に特に制限がない。
例えば、図１に示したように第１の支持部材として支持ピンを採用し、第２の支持部材として支持筒を採用することで支持ピンの下端側を支持筒内に挿入し、支持ピンに取り付けた第１マグネットと支持筒側に取り付けた第２マグネットを同極対向配置し、その反発力でりん部を重力に対抗して浮上支持させる例が挙げられる。
この場合に第１の支持部材が第２の支持部材に対して上下方向にスライド自在に支持されていれば、上記の例とは逆に第１の支持部材がパイプ状で第２の支持部材がパイプの中に挿入された棒状（ピン状）であってもよく、第１の支持部材と第２の支持部材とがスライダーとガイドレールとの関係のように嵌合構造でもよい。
【０００７】
本考案においては、りん部の重量、マグネットの反発力及び第１の支持部材の第２の支持部材に対する挿入深さを調整することでりん部を浮上支持できる。
これに対して、請求項２に係る考案は、第１の支持部材の下端部が第２の支持部材から抜け出すのを防止する抜け止め部を第１の支持部材の下端側あるいは第２の支持部材の上端側に設けたものである。
このようにするとりん部が支持台から不用意に外れる恐れがなく、りん部が脱落し、仏壇や祭壇の載置部を傷つけることもなくなる。
【０００８】
また、本考案に係るおりんは、支持台にりん棒の載置部を設けてもよい。
【考案の効果】
【０００９】
本考案に係るおりんにおいては、りん部を支持台（りん台）に対して、磁力浮上支持したので、りん部をりん棒で鳴らした際の振動が支持台によりうち消される割合が少なくなり、また振動周波数の変化も小さくなるので響きが優れる。
【図面の簡単な説明】
【００１０】
【図１】本考案に係るおりんの例を示す。
【図２】おりんの断面図及び、第１の支持部材を第２の支持部材に挿入支持している状態の部分拡大図を示す。
【図３】本考案に係るおりんの部品構成例を示す。
【図４】おりんのりん部が上下に動く状態の説明図を示す。
【図５】りん棒を支持台（りん台）に載置する例を示す。
【図６】りん棒の他の例を示す。
【考案を実施するための最良の形態】
【００１１】
本考案に係るおりんの実施例を図１〜図５に示し、図１は全体図、図２は断面図及び要部拡大図、図３は部品構成図、図４はりん部が上下に移動する状態図、図５はりん棒を載置した状態図をそれぞれ示す。
【００１２】
おりん１０は、支持台（りん台）１２にりん部１１をマグネットの反発力にて浮上支持した構造になっている。
本実施例では、椀を逆さにしたようなりん部１１の内側の底面中央部にめねじ部からなる連結部１１ａを形成し、第１の支持部材である支持ピン１４の上端部に設けたおねじ部１４ｂを螺合連結してある。
本実施例では、この雄ねじ部１４ｂに、第１マグネット１５をその挿通孔１５ａを介して固定してある。
支持ピン１４の下端側は第２の支持部材である支持筒１３の内側に挿入してあるが、詳細は後述する。
【００１３】
支持台１２には支持筒１３の下端を連結してある。
本実施例では、支持台１２をベース支持台１２ａとその上に載置した上部支持台１２ｂに分割した例になっていて、上部支持台１２ｂに上下方向の貫通孔１２ｆと、この貫通孔１２ｆの上部に支持筒１３の下端部を呑み込むための嵌合凹部１２ｅを形成し、ベース支持台１２ａにめねじ部１２ｄを形成することで、むしねじ１７を用いて支持台１２と支持筒１３の下端部のめねじ部１３ｄを連結した例になっている。
支持筒１３は、パイプ形状になっていて、支持ピン１４の先を下側から挿入し、支持ピンの軸部より外径の大きい頭部１４ａが上下に移動できる上下移動支持部１３ｂとその上部に、頭部１４ａが抜け止め部として作用し、干渉する段差突部１３ａを有する。
また、支持筒１３の上部にはマグネット装着孔１３ｃを形成し、第２マグネット１６を取り付けてある。
第２マグネット１６は、貫通孔１６ａを有し、支持ピン１４が上下移動する。
第１マグネットと第２マグネットは、Ｎ極同士又はＳ極同士の同極が対向し、反発離反力が生じるようになっている。
また、支持ピンの頭部（抜け止め部）１４ａの頂面にはドライバー等の工具でこの支持ピンをりん部の連結部１１ａに取り付けることができるようにマイナス１４ｃまたはプラス溝あるいは６角孔を形成してある。
【００１４】
本考案は、りん部１１を支持台１２にマグネットの反発力でりん部の重量に対抗して浮上支持するのが目的であり、本実施例はりん部１１が支持台１２から外れないようにするために支持ピン１４の下端側を支持筒１３の内側に上下移動自在に保持させた例になっている。
従って、図２（ｂ）に拡大図を示すように、第２マグネット１６の貫通孔１６ａの内周面と支持ピン１４の外周面との間に隙間が形成されるようにするのがよく、支持ピンの頭部１４ａの外周面と支持筒１３の内周面との間にも隙間を有しているとよい。
【００１５】
本考案に係るおりん１０は、図４に示すようにりん部１１と支持台１２とは支持ピン１４が支持筒１３に対してマグネットによる反発力を受けながら支持されているので、軽くりん部を押すだけで矢印Ｖ１の方向に下がり、その結果、マグネットの反発力が強くなるため矢印Ｖ２の方向に戻るから、りん棒でりん部１１を鳴らした際の振動が支持台１２により減衰する量が少なくなる。
【００１６】
本実施例においては、図５に示すように支持台１２にりん棒の外形に合せた溝状のりん棒２０の載置部１２ｃを形成してあり、りん棒２０を載置して置くことができる。
りん棒２０は、図５に示したものの他に図６に示したように持手部２２を形成したりん棒２０Ａでもよく、打部にはオーガンジー２１を巻いてある。
【符号の説明】
【００１７】
１０      おりん
１１      りん部
１１ａ    連結部
１２      支持台
１２ｃ    りん棒載置部
１３      支持筒（第２の支持部材）
１４      支持ピン（第１の支持部材）
１５      第１マグネット
１６      第２マグネット
【図１】
0003153631.tif 000003
【図２】
0003153631.tif 000004
【図３】
0003153631.tif 000005
【図４】
0003153631.tif 000006
【図５】
0003153631.tif 000007
【図６】
0003153631.tif 000008